(57)【特許請求の範囲】
【請求項１】
回収びんからなる廃棄物のガイド手段と引出コンベアとリターンコンベアとこのガイド手段にこの廃棄物を供給する供給手段とからなり、
上記ガイド手段は搬送コンベアであって、
上記搬送コンベアは、所定間隙をもって並列に配置してある一組のコンベア部からなり、
上記一組のコンベア部は、相互に内方に傾斜したほぼＶ字状のものであり、
上記引出コンベアは、上記搬送コンベアの上記コンベア部の上記間隙内に位置し、搬送すべき上記廃棄物が一列のみ載置可能な限度の幅を有するものであり、
上記引出コンベアの走行速度は、上記搬送コンベアの走行速度より早く、
上記引出コンベアは上記搬送コンベアより進行方向に突出した突出部を具備し、
上記突出部から落下した上記廃棄物は上記リターンコンベアにより上記ガイド手段または供給手段に供給可能である
ことを特徴とするリサイクルシステムにおける廃棄物の搬送機構。
【請求項２】
請求項１において、上記搬送コンベアの一組のコンベア部は相互に走行速度が異なる
ことを特徴とするリサイクルシステムにおける廃棄物の搬送機構。
【請求項３】
回収びんからなる廃棄物のガイド手段と引出コンベアとリターンコンベアとこのガイド手段にこの廃棄物を供給する供給手段とからなり、
上記ガイド手段は所定間隙をもって並列に配置してあるガイド面とコンベア部とからなり、
上記引出コンベアは、上記ガイド手段の上記間隙内に位置し、搬送すべき上記廃棄物が一列のみ載置可能な限度の幅を有するものであり、
上記引出コンベアの走行速度は、上記コンベア部の走行速度より早く、
上記引出コンベアは上記ガイド手段よりこの引出コンベアの進行方向に突出した突出部を具備し、
上記突出部から落下した上記廃棄物は上記リターンコンベアにより上記ガイド手段または供給手段に供給可能である
ことを特徴とするリサイクルシステムにおける廃棄物の搬送機構。
【請求項４】
請求項１乃至３のいずれかの１において、上記引出コンベアの走行速度は、調整可能である
ことを特徴とするリサイクルシステムにおける廃棄物の搬送機構。
【発明の詳細な説明】
【０００１】
【発明の属する技術分野】
本発明は、回収されたびん、ペットボトル、破砕された電気製品、その他裁断された繊維質のものなど（以下「廃棄物」という）を、その形状、色彩、材料などの種類ごとに識別し選別する装置に、定量つづ搬送するためのリサイクルシステムにおける廃棄物の搬送機構に関する。
【０００２】
【従来の技術】
従来から廃棄物を形状、色彩、材質ごとに選別するには、画像処理装置例えばビデオカメラ、その他色センサー、材質センサーなどの選別装置（識別装置）によって資源として再利用できるかどうかを識別し選別している。そして、これら選別手段は原理的に個別検査であるため正確な選別を実現させるには、廃棄物の搬送機構は廃棄物を確実に一列に整列させ、かつ識別装置の識別機能を十分に発揮させるに十分な廃棄物間の搬送間隔を確実に確保できるものでなければならない。
【０００３】
【発明が解決しようとする課題】
しかし、廃棄物はその大きさ、形状、色彩の種々雑多なものが混在しており、しかも、廃棄物の回収形態がコンテナまたは袋によるものが一般的であるため、廃棄物の搬送機構への供給は間歇的にならざるを得ないのが実状である。そのため、従来からよく使用されている搬送機構は、複数段の搬送コンベアの乗り継ぎタイプのもの、振動フィーダによる搬送タイプのものであるが、これでは複数のびんが重なった状態で搬送されたり、廃棄物間の搬送間隔が狭すぎて、搬送機構の次段で行われる選別手段による選別精度が低下したり、回収率の低下の原因になっている。
【０００４】
そこで、本願出願人は先に廃棄物の整列搬送コンベアを提案した。この搬送コンベアは相互に内方に向けて傾斜している一組のコンベア部からなり、この一組のコンベア部の間には所定寸法の間隙があり、この間隙を利用して小さな廃棄物を選別排出するものであった（特開平７−３０８６４０号）。しかし、搬送する廃棄物の相互間隔が一定せず、そのため次段で行われる選別装置による選別精度にも問題があった。
【０００５】
そこで本発明の目的は、廃棄物を所定量づつ所定間隔をもって次段の選別装置に搬送するので識別精度を高くすることのできるリサイクルシステムにおける廃棄物の搬送機構を提供することにある。
【０００６】
【課題を解決するための手段】
上記の問題点を解決するために、本発明に係るリサイクルシステムにおける廃棄物の搬送機構の第１の特徴は、  回収びんからなる廃棄物のガイド手段と引出コンベアとリターンコンベアとこのガイド手段にこの廃棄物を供給する供給手段とからなり、上記ガイド手段は、ボックス状のホッパーであり、上記ボックス状のホッパーは、所定幅の隙間を底部に有し、かつこの隙間に向けて傾斜したガイド面を有するものであり、
上記引出コンベアは、上記ガイド手段の上記隙間の内に位置し、搬送すべき上記廃棄物が一列のみ載置可能な限度の幅を有するものであり、
上記引出コンベアは上記ホッパーの隙間よりこの引出コンベアの進行方向に突出した突出部を具備し、上記突出部から落下した上記廃棄物は上記リターンコンベアにより上記ガイド手段または供給手段に供給可能であるところにある。
【０００７】
削除
【０００８】
削除
【０００９】
本発明の第２の特徴は、回収びんからなる廃棄物のガイド手段と引出コンベアとリターンコンベアとこのガイド手段にこの廃棄物を供給する供給手段とからなり、上記ガイド手段は搬送コンベアであって、上記搬送コンベアは、所定間隙をもって並列に配置してある一組のコンベア部からなり、上記一組のコンベア部は、相互に内方に傾斜したほぼＶ字状のものであり、上記引出コンベアは、上記搬送コンベアの上記コンベア部の上記間隙内に位置し、搬送すべき上記廃棄物が一列のみ載置可能な限度の幅を有するものであり、上記引出コンベアの走行速度は、上記搬送コンベアの走行速度より早く、上記引出コンベアは上記搬送コンベアより進行方向に突出した突出部を具備し、上記突出部から落下した上記廃棄物は上記リターンコンベアにより上記ガイド手段または供給手段に供給可能であるところにある。
【００１０】
本発明の第３の特徴は、上記搬送コンベアの一組のコンベア部は相互に走行速度が異なるところにある。
【００１１】
削除
【００１２】
削除
【００１３】
本発明の第４の特徴は、回収びんからなる廃棄物のガイド手段と引出コンベアとリターンコンベアとこのガイド手段にこの廃棄物を供給する供給手段とからなり、上記ガイド手段は所定間隙をもって並列に配置してあるガイド面とコンベア部とからなり、上記引出コンベアは、上記ガイド手段の上記間隙内に位置し、搬送すべき上記廃棄物が一列のみ載置可能な限度の幅を有するものであり、上記引出コンベアの走行速度は、上記コンベアの走行速度より早く、上記引出コンベアは上記ガイド手段よりこの引出コンベアの進行方向に突出した突出部を具備し、上記突出部から落下した上記廃棄物は上記リターンコンベアにより上記ガイド手段または供給手段に供給可能であるところにある。
【００１４】
【発明の実施の形態】
以下、図面を参照して本発明に係るリサイクルシステムにおける廃棄物の搬送機構の実施の態様を説明する。
【００１５】
本発明は、図１〜図３に示すように、ガイド手段１と引出コンベア２と、リターンコンベア４及び供給コンベア６とから構成されている。
【００１６】
そこで、先ずガイド手段１の構成から説明すると、このガイド手段の構成の第１の実施の形態として図２以下に示す搬送コンベア１Ａのものと、第２の実施の形態として図３に示すボックス状のポッパー１Ａタイプのものとがあり、このガイド手段以外の構成は、第１、第２の実施の形態は共に実質的に同一構成である。
【００１７】
先ず、第１の実施の態様から説明する。ガイド手段１として搬送コンベア１Ａを採用したもので、この搬送コンベア１Ａの構成を説明すると、図１、図２に示すように、この搬送コンベアは水平状で、かつ並列に配置してある一組のコンベア部１１、１１から構成されているもので、この両コンベア部は、図４に示すように、相互に内方に傾斜してほぼＶ字状に配設してあり、さらに、この両コンベア部の間には所定寸法の間隙１２がある。なお、コンベア部１１、１１は進行方向（図１左方向）に向かって上り勾配をつけてもよい。また、コンベア部１１、１１は平ベルトを使用し、搬送コンベア１の全体幅は廃棄物Ａが必要量貯留できる程度、例えば、８００〜２０００ｍｍあればよい。一組のコンベア部１１、１１の走行速度はほぼ１０〜１５ｍ／分で、この両コンベア部を等速度で走行駆動してもよいが、等速度で走行駆動するとき、回収びんなど廃棄物Ａの形状次第では、この両コンベア部の間隙を跨いで引出コンベア２の上方に位置して引出されることなく、そのままの状態で搬送される、いわゆるブリッジ現象を起すことがある。そのため、このブリッジ現象の発生を防止するためには、一方のコンベア部の走行速度を他方のそれに対して、若干の速度差をもたせることにより、このブリッジ現象を防止でき、廃棄物の整列効率を向上させる上で有効である。
【００１８】
次に、引出コンベア２は、搬送コンベア１Ａの両コンベア部１１、１１相互間の間隙１２（図４）内に位置するものであって、この間隙内とは、前記したように、この間隙の下方も含む。
【００１９】
引出コンベア２の長さは、搬送コンベア１Ａの長さより長く、この搬送コンベアよりこの引出コンベア、またはこの搬送コンベアの進行方向に突出した突出部２１を有するものである。間隙１２の開口幅は廃棄物の全ての大きさのものが１個つづ引出コンベア２上に載置させることが可能であるものであればよい。引出コンベア２の幅は、搬送すべき廃棄物Ａが１個（一列）のみ載置可能な限度のもので、図５に示すように表面中央部が長手方向に窪んだＶ字状のものであるため廃棄物を１列に並んで状態を保持し安定して搬送することが可能である。
【００２０】
引出コンベア２の突出部２１の側部には、図１、図２に示すように近接してシュート３が設けてあり、このシュートの排出端部はリターンコンベア４に連結している。リターンコンベア４はコンベア部１１の側縁に沿って上り勾配の傾斜状に設置してあり、このリターンコンベアの上部端部はシュート５に連結し、このシュートの排出口は搬送コンベア１Ａの後方部上に位置している。リターンコンベア４は廃棄物Ａを保持したまま搬送し、シュート５に排出可能なものである。
【００２１】
引出コンベア２の走行速度は、廃棄物Ａの処理量によって決定されるものであって、搬送コンベア１Ａの走行速度より早く、ほぼ２０〜６０ｍ／分であって、この搬送コンベアの速度より２倍程度またはそれ以上早いものである。引出コンベア２と搬送コンベア１Ａとの速度関係は廃棄物の相互間隔を決定するものであって、これは選別装置による選別精度の向上の上で重要であり、この速度は調整可能なものである。
【００２２】
また、引出コンベア２は搬送コンベア１Ａと同様に、水平配置でも進行方向に向かって上り勾配をつけたものでもよい。
【００２３】
ここで、供給コンベア６の構成を説明すると、図２に示すようにこのコンベアには所定間隔をもって係止突起６１，…を突設してあるもので、この係止突起により廃棄物Ａを所定量づつ断続的に搬送コンベア１Ａ上に供給するものであるが、この供給量はできるだけ定量づつ断続的に供給されるもので、この一度に供給コンベア６に供給される廃棄物Ａの量は、次の廃棄物が供給コンベアにより供給される前に、すべての廃棄物Ａが引出コンベア２により一列状に整理され引出されていることが必要である。一度に大量の廃棄物Ａが供給されないように、図２に示すように供給コンベア６に上り勾配をつけておくと、この供給コンベアに一度にホッパーなどから一度に大量の廃棄物Ａが供給されても、余分の廃棄物はこの供給コンベアの上面を滑り落ちながら、下方に落下していき、係止突起６１に係止された量だけが定量づつ搬送コンベア１Ａに供給することができる。
【００２４】
そこで、本発明の作動状態について説明する。図１、図２において、供給コンベア６により廃棄物Ａは、搬送コンベア１Ａの上流側（右方）寄りのコンベア部１１、１１上に供給される。供給された当初は廃棄物Ａはコンベア部１１、１１上で山積み状態であるが、引出コンベア２の走行速度はこのコンベア部よりも２倍程度早く走行しているため、この引出コンベアに乗った回収びんＡのみが引出され搬送される。これにより山積み状態の回収びんＡは底部から順次引き出され、そのため、コンベア部１１、１１上に位置している回収びんは傾斜面に沿って間隙１２に向けて次第に移行していき、全ての廃棄物Ａは引出コンベア２により搬送されていく。したがって、搬送コンベア１Ａの長さは、引出コンベア２によって廃棄物Ａが完全に搬出されるまで、この搬送コンベアの下流側端部にまで到達しないよう十分なものでなければならない。
【００２５】
このようにして、廃棄物Ａは引出コンベア２上で一列に整列され、理想的には間隔なしに連続的に並んで搬送され、図６に示すように、シュート７を介して次の段の識別コンベア８上に搬出されるので、この工程で行われる選別装置（図示せず）による選別精度が高い。
【００２６】
なお、引出コンベア２において整列された廃棄物Ａは相互に接触した状態、または近接した状態で引き出されることが整列処理の効率から最も望ましい。しかし、廃棄物Ａ相互が接触または接近していると、選別装置での識別機能が十分に機能しないことが起るので、この廃棄物相互間はある所定の間隙は必要である。そこで、選別コンベア８の走行速度をこの引出コンベア２の走行速度より２倍以上早く設定しておき、そのため、この選別コンベア上では、廃棄物Ａ相互間に所定の間隙が生じ、選別装置による選別、識別機能は十分に発揮される。
【００２７】
また、引出コンベア２の上に過剰供給、廃棄物の形状などにより複数の廃棄物Ａ、Ａａが一度に載置されることが発生することが考えられる。その場合は、そのままこの引出コンベア２で搬送されるが、図５に示すように、この引出コンベアには廃棄物は１個しか載置できない幅であるため、突出部２１まで搬送された段階で、載置できない余分な廃棄物Ａａは、この突出部から落下する。そして、落下した廃棄物Ａａはシュート３を介してリターンコンベア４に移動し、さらに、このリターンコンベアによりシュート５を介して再び搬送コンベア１のコンベア部１３、１３上に供給される。このようにして、搬送コンベア１Ａに循環して再供給された廃棄物Ａａは、前記したような行程を経て、突出部２１で余分なものとして落下しない限り正式なルートによりシュート７を経て識別コンベア８に供給される。
【００２８】
なお、リターンコンベア４は搬送コンベア１Ａに再度供給される構成を図示しているが、この搬送コンベアに限定されるものではなく、供給コンベア６に供給するようにしてもよい。
【００２９】
次に、第２の実施の形態について説明する。この実施の態様では、搬送コンベア１Ａに代えてホッパー１Ａタイプのものを採用したもので、この構成は図３に示すように、その内面１３，１３の一方または両方（図示例）が傾斜しており、上端開口のボックス状のもので、底部に所定幅の隙間１４が長手方向に沿って開設してあり、水平状態に設置してある。傾斜した内面１３、１３の表面は摩擦抵抗の低い材質のもので、表面にコロなどを設けたものでもよい。そのため、ホッパー１Ａ内に投入される廃棄物Ａは容易に底部の隙間１４に向けて摺動落下するものである。そして、隙間１４内には、この隙間に沿って図１、２に示す引出コンベア２が設置してある。
【００３０】
引出コンベア２の構成は、図１、図２、図４、図５に示す第１の実施の形態と実質的に同一のものである。
【００３１】
ところで、第２の実施の形態において、廃棄物がボックス状のホッパー１Ａ内に投入された直後は山積み状態であるため、この廃棄物、例えば回収したびんの形状次第によっては、このびんが隙間１４を跨ぐ状態、いわゆるブリッジ現象を起して、このびんが隙間１４内に落下しないことがあるので、この実施の形態は廃棄物Ａの形状、大きさがブリッジ現象を起さないようなものである。
【００３２】
第２の実施の形態では、供給コンベア６により廃棄物Ａはホッパー１Ｂに供給される。供給された当初は廃棄物Ａはこのホッパー上で山積み状態であるが、引出コンベア２に乗った回収びんＡのみが引出され搬送される。これにより山積み状態の回収びんＡは底部から順次引き出され、そのため、ホッパー１Ｂ上に位置している回収びんＡは傾斜面に沿って隙間１４に向けて次第に移行していき、全ての廃棄物Ａは引出コンベア２により搬送されていく。したがって、搬送コンベア１Ａの長さは、引出コンベア２によって廃棄物Ａが搬出されるまで、この搬送コンベアの下流側端部にまで到達しないようにするに十分なものでなければならない。さらに、引出コンベア２はホッパー１Ｂの隙間からこの引出コンベアよりこの引出コンベアの進行方向に突出した突出部を具備し、この突出部から落下した廃棄物はリターンコンベアにより上記ガイド手段または供給手段に供給可能である。その他の構成、作用は第１の実施の態様と同一である。
【００３３】
ガイド手段１の第３の実施の態様として、第１の実施の態様における搬送コンベア１Ａと第２の実施の態様におけるボックス状のホッパー１Ｂとの組合わせであって、このガイド手段の構成は、一方をコンベア部１１（第１の実施の態様のもの）と他方を傾斜したまたは傾斜していない内面１３（第２の実施の態様のもの）とを並列に配置し、底部に間隙を開口させてガイド手段を構成したものである。そして、引出コンベアは、ガイド手段の間隙内に位置し、搬送すべき廃棄物が一列のみ載置可能な限度の幅を有するものであり、この引出コンベアの走行速度は、上記搬送コンベアの走行速度より早く、この引出コンベアは上記ガイド手段の長さよりも長く、そのためこの引出コンベアの進行方向にホッパー１Ｂから突出した突出部を具備し、この突出部から落下した廃棄物はリターンコンベアにより上記ガイド手段または供給手段に供給可能である。引出コンベア、リターンコンベアなどその他の構成は前記した実施の態様と実質的に同一であり、その作用は他の実施の態様と同一である。
【００３４】
【発明の効果】
本発明は、廃棄物が一列状態選別装置で確実かつ正確に識別、選別できるような状態で次の工程へ所定量が搬送されるので、この選別装置の識別手段の識別精度は高まり、規格外の廃棄物の混入が防止される。
【００３５】
また、万一、複数の廃棄物が引出コンベア上に引き出されることが起っても、余分な廃棄物は突出部から落下し、リターンコンベアによって循環されて、再び引出コンベアにより整列され、前後の廃棄物は相互に接触した状態のものは所定の間隔をもって選別装置に供給される。ガイド手段として搬送コンベアを一組のコンベア部で構成し、相互の走行速度を異にすると廃棄物のブリッジ現象の発生が防止でき、また、ガイド手段への廃棄物の供給を供給コンベアを使用し、この供給コンベアを上り勾配状態に設置しておくと、廃棄物の断続的な供給量が所定量に制御することができる。
【図面の簡単な説明】
【図１】  本発明の第１の実施の形態の平面図である。
【図２】  本発明の第１の実施の形態の側面図である。
【図３】  本発明のガイド手段の第２の実施の形態の斜面図である。
【図４】  本発明の第１の実施の形態を示すもので、廃棄物がコンベア部１１、１１上で搬送されている状態を示す側面図である。
【図５】  本発明の第１の実施の形態を示すもので、廃棄物が引出コンベアの突出部から落下している状態を示す側面図である。
【図６】  引出コンベアから選別コンベアへの乗り継ぎ状態の正面図である。
【符号の説明】
１    ガイド手段
１Ａ  ガイド手段（搬送コンベア）
１１  コンベア部
１２  間隙
１Ｂ  ガイド手段（ボックス状のホッパー）
１３  傾斜した内面
１４  隙間
２    引出コンベア
２１  突出部
４    リターンコンベア
６    供給コンベア
８    識別コンベア
Ａ    廃棄物
【図１】
0004287511.tif 000002
【図２】
0004287511.tif 000003
【図３】
0004287511.tif 000004
【図４】
0004287511.tif 000005
【図５】
0004287511.tif 000006
【図６】
0004287511.tif 000007